(57)【要約】【課題】壁面内蔵型展示棚の透明ガラスの施錠手段をなくして外観を綺麗にする。【解決手段】壁面内蔵型の商品展示棚構造において、壁面Ｗの開口２両側にその壁面Ｗに沿う上下方向のガイド１１，１１を設け、そのガイド１１，１１に透明ガラス１０を取り付けて駆動装置２０により昇降可能にする。駆動装置２０は、モータ２１の回転により軸回りに回転するねじ軸２２を有し、透明ガラス１０はそのねじ軸２２に支持具１２を介して取り付けられる。透明ガラス１０は、開口２を塞ぐ位置で動かないようにオートロックされて展示棚１の商品３を室内側から取れないように保護するので、ガラス１０の施錠手段が不要となり、展示棚１の外観を損なわない。そのガイド１１に、前記透明ガラス１０を押さえる押圧装置２５を設ければ、ガラス１０の振動を防止し、開口２に介在する物体等を感知する安全装置３０を設ければ、手や商品等を誤って挟むことがなく安全である。【選択図】図１
2005137775.tif 000002
【特許請求の範囲】
【請求項１】
壁内にその壁面Ｗに開口する凹部４を形成し、その凹部４内を展示棚１とすると共に、その開口２に透明ガラス１０を設けて閉じた壁面内蔵型商品展示棚構造において、
前記ガラス１０を、前記開口２が開閉可能になるように取り付けるとともに、そのガラス１０の開閉駆動装置２０を設け、その駆動装置２０は、ガラス１０の開口閉止位置でオートロックすることを特徴とする壁面内蔵型商品展示棚構造。
【請求項２】
前記駆動装置２０は、モータ２１とそのモータ２１の回転により軸回りに回転するねじ軸２２を有し、前記透明ガラス１０は、前記ねじ軸２２にねじ込まれた支持具１２に支持されて、その支持具１２は、ねじ軸２２の軸回りの回転につれてそのねじ軸２２の軸方向に進退するものであり、ねじ軸２２の回転を停止することにより支持具１２は固定されて、駆動装置２０が前記透明ガラス１０をオートロックすることを特徴とする請求項１に記載の商品展示棚構造。
【請求項３】
前記ねじ軸２２は、前記開口２の下方において上下方向に設けられることを特徴とする請求項２に記載の商品展示棚構造。
【請求項４】
前記壁面Ｗに前記透明ガラス１０を板厚方向に押さえる押圧装置２５を設けたことを特徴とする請求項１乃至３のいずれかに記載の商品展示棚構造。
【請求項５】
前記壁面Ｗ又は凹部４に安全装置３０を設け、その安全装置３０は、前記開口２に介在する人又は物体を感知して、前記透明ガラス１０の動きを停止させることを特徴とする請求項１乃至４のいずれかに記載の商品展示棚構造。
【発明の詳細な説明】
【技術分野】
【０００１】
この発明は、例えば、バッグ、靴、その他各種革製品や、衣料、時計、貴金属、化粧品などを扱うブランド店などにおいて、その商品を顧客にディスプレイ（展示、陳列）するために、店内の壁面に埋め込むように設けられる壁面内蔵型の展示棚構造に関するものである。
【背景技術】
【０００２】
ブランド店などにおける従来の壁面内蔵型の展示棚は、本発明の実施形態である図２に基づいて説明すると、店舗内の壁面Ｗに開口する凹部４を形成し、その凹部４内を展示棚１としたものがよく用いられる。展示棚１に載置された商品３は、展示棚１側方の壁面開口２を介して、壁面Ｗの室内側に位置する店舗の顧客に向かってディスプレイされる。また、店舗が通りに面している場合には、その外壁に通りに向かって展示棚１を設け、その店舗の前を通りかかった人に向かってディスプレイする場合もある。
【０００３】
この種の展示棚１では、載置された商品３がライトアップされることにより、その商品３は高級なイメージに映り、その商品３や関連商品に対する購買意欲を喚起できるという利点がある。
【０００４】
また、展示棚１を外壁に設ける場合はもちろんのこと、店内の壁面Ｗに設ける場合にも、前記展示棚１の前面には、埃等の飛散による商品の汚れを防止する目的と、商品が高級ブランド品であるが故のセキュリティの確保の目的から、展示棚１を構成する凹部４を塞ぐように前記開口２を閉止する透明ガラス１０を壁面Ｗに沿って設ける場合が多い。透明ガラス１０は、図８に示すように、前記開口２の周縁に設けられた窓枠７に固定されたり、あるいは、壁面Ｗ全面を覆うように固定されて完全に外せないようにする場合がある。また、他の形態としては、透明ガラス１０は、前記開口２が開閉自在になるように蝶番等を介して壁面Ｗに取り付けられる場合もある。
【０００５】
前者のようにガラス１０を完全に固定する場合は、壁面Ｗの室外側から展示棚１へ商品３を出し入れできるようにするため、図８に示すように、前記側壁６等の一部を開口させて商品搬入出口８を設け、その搬入出口８に至る壁面Ｗ裏の搬入スペース９を、美観上、店舗Ｓ内に居る顧客からは見えないようにする。この搬入出口８には、扉を設けて適宜施錠するとともに、壁面Ｗ裏の搬入スペース９には、防犯上の観点から顧客が入れないようにするのが一般的である。
【０００６】
後者のように透明ガラス１０を開閉自在にする場合には、その開閉可能な透明ガラス１０に施錠手段等を設け、通常の状態では、ガラス１０を開かないように施錠しておく。そして、店員に対して特に申し出ない限り、顧客は勝手にガラス１０を開閉できないようにしている。
【発明の開示】
【発明が解決しようとする課題】
【０００７】
透明ガラス１０を完全に固定した従来の展示棚構造では、壁面Ｗの裏側となる室外側に商品３の搬入出口８と、それに至る搬入スペース９を設ける必要があるので、壁面Ｗの室外側に人が通る程度の空間が必要となる。このスペース９を設けるため、顧客に開放されるエリアである、図８に示す店舗Ｓの面積を縮小せざるを得ない。
【０００８】
また、透明ガラス１０を開閉自在とした展示棚構造では、その施錠手段が、美観上好ましくないものであるとともに、顧客が商品を手にもってみたいと申し出た場合に、その都度鍵を持ち出して行う解鍵操作が煩雑である。
【０００９】
そこで、この発明は、展示棚の透明ガラスを鍵の操作なしに開閉、固定できるようにするとともに、外観の綺麗な展示棚とすることを課題とする。
【課題を解決するための手段】
【００１０】
上記の課題を解決するために、この発明は、壁面内蔵型商品展示棚の開口を塞ぐ透明ガラスを駆動装置により開閉可能にし、その透明ガラスを、前記開口を閉止する位置でオートロック、つまり、駆動装置を作動させない限り透明ガラスが動かないように固定するようにしたのである。
【００１１】
このため、透明ガラスは、開口を閉止する状態で駆動装置により固定されて、展示棚と室内側の店舗内とを遮断するので、展示棚の商品が室内側から取れないように保護される。また、この展示棚は、駆動装置を作動させて透明ガラスを移動させない限り室内側に開放されないので、透明ガラスを開かないように壁面等に繋ぎ止める施錠手段の設置が不要となる。このため、店内から見え得る範囲にある壁面及び展示棚がすっきりした外観となり、美観を損なわない。
【００１２】
さらに、来店した顧客から、例えば、商品を手に取って見てみたいという申し出があった際等には、その都度鍵を持ち出して解鍵操作を行う必要がないので、商品の出し入れが迅速になる。
【００１３】
具体的な構成としては、壁内にその壁面に開口する凹部を形成し、その凹部内を展示棚とすると共にその開口に透明ガラスを設けて閉じ、その透明ガラスを、前記開口が開閉可能になるように取り付けられている。透明ガラスの開閉は、開閉駆動装置を設け、その駆動装置は、ガラスの開口閉止位置でオートロックするものである。
【００１４】
この構成において、前記駆動装置は、透明ガラスを開閉自在としてオートロックする機能を有する限りにおいて自由なものが使用できるが、例えば、モータとそのモータの回転により軸回りに回転するねじ軸を有し、前記透明ガラスは、そのねじ軸にねじ込まれた支持具に接続されたものを採用し得る。
【００１５】
その支持具は、ねじ軸の軸回りの回転とともにそのねじ軸の軸方向に進退するものであり、そのねじ溝同士が噛み合っているので、ねじ軸の回転を停止することにより支持具は動かないように固定されて、駆動装置が前面ガラスをオートロックする。このようにすれば、モータの作動により透明ガラスが自動的に開閉するので、商品の搬入、取り出しが容易である。
【００１６】
このねじ軸を、前記開口下方において上下方向に設ければ、床面から所定の高さにある展示棚下方の壁面裏デッドスペースを、駆動装置の収納スペースとして有効に活用し得る。
【００１７】
さらに、前記壁面に前記透明ガラスを板厚方向に押さえる押圧装置を設け、透明ガラスを前記壁面に密着させるようにすれば、透明ガラスはがたつかないように固定されるので、ガラスの振動に伴う騒音が発生しない。
【００１８】
また、前記壁面又は凹部に安全装置を設け、その安全装置は、前記開口に介在する人又は物体を感知して、前記透明ガラスの動きを停止させるようにすれば、前記開口に室内側から展示棚側へと跨がる手や商品等をその開口とガラスの間に誤って挟むことがなく安全である。
【発明の効果】
【００１９】
この発明は、展示棚の透明ガラスの施錠手段が不要であるので、店内から見え得る範囲の壁面及び展示棚の外観が綺麗なものとなり、また、壁面裏に商品搬入出用のスペースを必要としないので、店舗面積を広くし得る。その前面ガラスは、鍵の操作なしに駆動装置によって開閉、固定できるので、商品の出し入れが迅速である。
【発明を実施するための最良の形態】
【００２０】
一実施形態を図１乃至図５に示し、この実施形態の展示棚構造は、いわゆるブランド店などにおいて、その商品を顧客にディスプレイ（展示、陳列）するために、店舗の壁面Ｗに埋め込むように設けられる壁面内蔵型の展示棚１において、その展示棚１に載置される商品３を保護するために、展示棚１前面に透明ガラス１０を開閉可能に設けたものである。
【００２１】
その展示棚１の構造は、図２に示すように、壁内にその壁面Ｗに開口２を有する凹部４を形成し、その開口２に透明ガラス１０を前記開口２が開閉可能になるように取り付け、透明ガラス１０には、そのガラスを１０を昇降移動させる開閉駆動装置２０を設けている。この展示棚１に載置された商品３は、その開口２を介して室内側に向かってディスプレイされるようになっている。
【００２２】
展示棚１の配置は、図１及び図２に示すように、顧客にとって見やすいものとするべく、その視線に合わせて室内の床面から一定の高さのところに必要数設けられ、それぞれの展示棚１が、商品３が載置される載置部４ａ、その上方を覆う天井部５、及び壁面Ｗ側を除く側面３方を囲む側壁６とで壁面Ｗ内に凹部４を構成する。凹部４内の各面４ａ，５，６は、それぞれ美観を意識した色とりどりの背景とするために化粧板１５等で覆われている。また、その展示棚１には照明１６が取り付けられ、展示棚１に載置された商品３が、その照明１６から発する光によりライトアップされるようになっている。
【００２３】
前記開口２の両側には、その壁面Ｗの裏面に沿う上下方向の対のガイド１１，１１が設けられる。両ガイド１１，１１は、図１に示すように、壁面Ｗに隠れて室内側からは見えないようになっている。その水平方向断面は、図５に示すように、それぞれＨ型を成しており、その両ガイド１１，１１のＨ型断面の一方の溝部１１ａ，１１ａ同士に透明ガラス１０の両側縁を嵌めて取り付け、透明ガラス１０が、壁面に沿う左右方向、及び壁面に直交する奥行き方向に大きくずれないように誘導する。また、その透明ガラス１０の下端には支持具１２を取り付けて、透明ガラス１０は、図３及び図４に示すように、そのガラス１０下端を支持具１２を介して駆動装置２０によって支持される。
【００２４】
駆動装置２０は、壁面Ｗの室外側において展示棚１の下方に設けられ、ガイド１１と同様に、壁面Ｗに隠れて室内側からは見えないようになっている。その構成は、図１に示すように、モータ２１とそのモータ２１の回転により軸回りに回転する対のねじ軸２２，２２とを有し、両ねじ軸２２、２２は、図５（ａ）に示すロータ２３及びベルト２４を介してモータ２１により駆動される。
【００２５】
前記透明ガラス１０の支持具１２は、図３及び図４に示すように、ねじ軸２２，２２にねじ込まれてそのねじ部２２ａに噛み合う昇降部材１２ａと、透明ガラス１０を支持する支持部材１２ｂとからなり、支持部材１２ｂは、透明ガラス１０を当て板等を介してボルト等により締めつけられて固定する垂直部１２ｃと、その垂直部１２ｃの一部から横方向に延びて前記昇降部材１２ａに接続される水平部１２ｄとからなるＬ型の部材である。
【００２６】
モータ２１を作動させることによりねじ軸２２，２２が、図５（ａ）の矢印のように回転し、その回転とともに、昇降部材１２ａが、図３に示す矢印のように昇降する。この昇降部材１２ａの昇降とともに、支持部材１２ｂ及び透明ガラス１０は前記ガイド１１に沿って上下方向に移動する。
【００２７】
このとき、前記ガラス１０は、前記ねじ軸２２にねじ込まれた支持具１２に接続されて、その支持具１２のねじ部は、ねじ軸２２のねじ部に噛み合っているので、ねじ軸２２の回転を停止することにより支持具１２は動かないように固定されて、この駆動装置２０が透明ガラス１０をオートロックすることになる。
【００２８】
このオートロックの機能は、支持具１２がねじ軸２２に対していずれの位置にあっても作用させることができるが、例えば、前記透明ガラス１０が、図１に矢印で示すように、上方へ移動することにより、ガラス１０は、図３に実線で示す前記壁面Ｗの開口２を塞ぐ閉止位置となり、そのときモータ２１の動作を止めれば、ガラス１０は、その位置で動きを停止する。このとき、支持具１２は、その支持具１２とねじ軸２２とのねじ部に噛み合いにより、ねじ軸２２の軸方向である上下方向に動かないように固定されるので、透明ガラス１０は、前記開口閉止位置でオートロックされて、展示棚１内の商品３は、室内側から取れないように保護される。そして、駆動装置２０を作動させて、透明ガラス１０が下方に移動することにより、図中に破線で示すように、展示棚１の開口２が開放されて室内側から商品３を出し入れ可能となる。
【００２９】
また、前記支持具１２には、図４に示すように、リミットスイッチ２７が設けられており、そのリミットスイッチ２７が図中に示すねじ軸２２の上端または下端のストッパ２８に触れることによりモータ２１の動作が停止し、ねじ軸２２の回転が停止する。このリミットスイッチ２７とストッパ２８を、ガラス１０の昇降範囲に合わせて適宜の位置に設置することにより、透明ガラス１０が所定の位置に達すると、モータ２１が自動的に停止するので、ガラス１０の昇降操作が容易である。さらに、その開口２の上部には、前記ガイド１１と同じく断面Ｈ型を成す枠材１４が、図１に示すように、その断面Ｈ型の溝部１４ａを下向きにして設けられているので、ガラス１０が上方に移動した際にそのガラス１０の上縁が凹部１４ａに嵌まって、開口２の周縁にしっかりと固定される。なお、このガラス１０には、合わせガラスを使用しているので、万が一ガラスが破損した際にも、破片が飛散することがない。
【００３０】
また、前記壁面Ｗのガイド１１には押圧装置２５を設けている。その押圧装置２５は、図４に示すように、ガイド１１の溝部１１ａ内において、そのガイド１１に嵌まるガラス１０の室外側の面に当接するように突出している当接部２５ａを有し、その当接部２５ａは、球面状を成すとともに、ガイド１１に設けた支持部２５ｂにスプリング２５ｃを介して取り付けられる。押圧装置２５は、図５（ｂ）に示すように、当接部２５ａの球面でガラス１０と接触するので、ガラス１０の昇降に伴う滑りがよく、また、スプリング２５ｃにより、弾性を持ってガラス１０を押圧するので、ガラス１０に加わる衝撃を吸収し得るので安全である。
【００３１】
前記ガラス１０は、押圧装置２５により板厚方向に押さえられて、前記ガイド１１又は前記壁面Ｗの開口２付近に設けたパッキン１３に密着する。この密着により、ガラス１０はがたつかないように前記ガイド１１又は壁面Ｗに固定されるので、ガラス１０の振動に伴う騒音が発生しない。また、パッキン１３は適度な弾性を有しているので、ガラス１０の振動、衝撃を吸収する上で有用である。この押圧装置２５は、壁面Ｗのガイド１１に設けてもよいし、壁面Ｗに直接取り付けてもよい。
【００３２】
さらに、前記展示棚１には、図３に示すように、凹部４内の対向する側壁６，６に赤外線式の安全装置３０が設けられており、その安全装置３０が発する赤外線により、安全装置３０が前記開口２に介在する人又は物体を感知すると、前記透明ガラス１０の動きを停止するようになっている。このため、前記開口２に室内側から展示棚側へと跨がる手や商品等をその開口２とガラス１０の間に誤って挟むことがなく安全である。この安全装置３０は、凹部４に設けてもよいし、壁面Ｗに設けてもよい。
【００３３】
この展示棚１への商品３の出し入れは、壁面前方の開口２から行うことができるため、その商品３の出し入れを行うための搬入出口８、及び搬入スペース９を壁面Ｗ裏に設ける必要がなく、展示棚１を設けるために必要とされる壁面Ｗ裏の面積を小さくし得る。このため、決められたエリアの中で、顧客に開放される店舗Ｓ部分の面積を広くすることができる。
【００３４】
なお、この装置によれば、顧客から、商品３を手に取って見てみたいという申し出があった際や、商品３の入れ換えの際などに、その都度鍵を持ち出して解鍵操作を行う必要がなく、別の場所に設けた操作盤や、あるいは、遠隔操作可能な携帯用の操作盤等を操作することにより、透明ガラス１０の開閉を行うようにすることが可能である。
【００３５】
この実施形態では、透明ガラス１０を２本のねじ軸２２を有する駆動装置２０により昇降させるようにしたが、この実施形態には限定されず、例えば、モータ２１により駆動するねじ軸２２の本数は自由である。また、展示棚１の幅は自由に設定できるので、例えば、展示棚１を壁面Ｗに沿う方向に幅の広いものとして、商品３を横方向に多数並列できるようにし、その展示棚１の幅に合わせた透明ガラス１０を設けて、その透明ガラス１０には、そのガラス１０の幅、大きさに合わせて複数組の前記駆動装置２０を設けるようにしてもよい。
【００３６】
前記ガイド１１は、ガラス１０が嵌まる溝部１１ａを有する断面Ｈ型のものを用いたが、ガラス１０が移動可能に支持されて、その移動方向に沿って誘導されるものであれば、その形状は特に限定されない。また、ガラス１０が上下方向以外の方向に移動するようにしてもよい。例えば、前記ガイド１１を開口２を挟んで上側と下側に対向させて水平に設け、ガラス１０がその水平なガイド１１に沿って横方向に移動するようにしてもよい。
【００３７】
また、押圧装置２５の位置や、当接部２５ａ形状は自由であり、スプリング２５ｃは、他の弾性体で置き換えてもよい。なお、押圧装置２５や、安全装置３０の機能を求めない場合には、これらの装置は省略してもよい。
【００３８】
なお、前記駆動装置２０は、上記実施形態に限定されず、他の構成の装置を用いたものとすることもできる。例えば、図６（ａ）に示すように、透明ガラス１０を支持する支持具１２にそのガラス１０の移動方向に長いねじ軸部１２ｅを設け、前記ねじ軸２２は筒状を成して、その内周に前記支持具１２のねじ軸部１２ｅがねじ込まれる。ねじ軸２２は、モータ２１に接続されて軸回りに回転可能であるとともに、その軸方向には進退できないようになっており、また、支持具１２が透明ガラス１０に接続されているので、ねじ軸部１２ｅは、ねじ軸２２に対して軸回りに回転しないようになっている。
【００３９】
この駆動装置２０を用いた構成において、モータ２１を作動させることにより、前記ねじ軸２２が、図６（ｂ）に示す矢印のように回転すると、そのねじ軸２２に噛み合うねじ軸部１２ｅのみが、同じく矢印に示すように軸方向に進退して、支持具１２とともに透明ガラス１０が移動する。なお、このとき、前記ねじ軸部１２ｅの外周を一部面取りして、その面取り部を駆動装置２０の外周を覆うケース等に摺動させることにより、ねじ軸部１２ｅのねじ軸２２に対する軸回りの回転を、より確実に抑えるようにしてもよい。
【００４０】
また、支持具１２のねじ軸部１２ｅを筒状として、そのねじ軸部１２ｅの内周にねじ軸２２がねじ込まれるようにした態様を採用してもよい。
【００４１】
さらに、前記駆動装置２０の他の構成として、図６（ｃ）に示すように、透明ガラス１０を蝶番やピンを介して開き戸形式に開閉可能に設け、その透明ガラス１０を開閉し得るように、前記支持具１２や駆動装置２０等を透明ガラス１０に取り付けるようにしてもよい。
【００４２】
駆動装置２０の構成としては、適宜の位置でその透明ガラス１０の移動を止めるオートロック機構を有する限りにおいて、その他にも周知の駆動装置を使用することができる。例えば、ねじ軸に代えてラックとピニオンの機構を使用した駆動装置が考えられる。この機構では、ねじ軸と同様、ねじ部の噛み合いによるオートロック機構が期待できる。
【００４３】
また、ねじ軸を用いないで透明ガラス１０にワイヤ等を接続し、そのワイヤ等をロータ等を介して牽引することにより透明ガラス１０を移動させるようにした駆動装置や、あるいは、ソレノイド等を利用して磁力によりプランジャが移動するようにした駆動装置、アクチュエータ等を使用した駆動装置等としてもよい。これらの機構を採用する場合において、前記ねじ部の噛み合い等のように、その駆動装置がオートロック機構を有しない場合には、所定の位置において透明ガラス１０をオートロックし得る機構を別途に設ければよい。
【００４４】
なお、請求項でいう透明ガラス１０とは、そのガラス１０を前記開口２に設けることにより、展示棚１内、つまり凹部４に載置した商品３が視認できるものをいい、この実施形態で使用した合わせガラスに限定されず、一般的な透明な素材でなるガラスをいうものである。すなわち、そのガラス越しに商品３を視認し得る限りにおいて、例えば、擦りガラスや表面にエンボスや各種模様をあしらったガラスを用いてもよく、一定の強度を有していれば透明な樹脂製板を使用してもよい。
【００４５】
また、壁面内蔵型展示棚が設けられる壁面Ｗとは、店舗等の室内、室外を問わず前記凹部４を設けることができる壁面をいい、この実施形態の壁面Ｗに限定されない。例えば、図７に示すように、２面の壁面Ｗ，Ｗが交差するコーナー部に凹部４を設け、その凹部４は、各壁面Ｗ，Ｗにそれぞれ開口しているようにする。透明ガラス１０は、各壁面Ｗ，Ｗのそれぞれの開口２，２を開閉し得るように設けられる。このとき、各透明ガラス１０，１０は、駆動装置２０により切り替え手段等を介して別々に開閉動作するようにしてもよいし、同時に開閉動作するようにしてもよい。
【００４６】
さらに、壁面内蔵型展示棚は、３面あるいは４面以上の壁面Ｗが交差するコーナー部、あるいは柱部に、任意の数の開口２を設けた凹部４を形成した展示棚１としてもよい。例えば、床面から立ち上がる４面の上下方向の壁面からなる柱状の壁面Ｗにおいて、その４面に開口２を設けて４方から展示棚１内の商品３を視認できるようにした構成も採用し得る。この柱状の壁面Ｗは、天井まで立ち上がってもよいし、天井に至らない所定の高さとしてその上面に天板を設けて蓋をしてもよい。
【００４７】
隣り合う壁面Ｗ，Ｗにそれぞれ開口２を設ける場合には、図７に示すように、各壁面Ｗ，Ｗに別個に開口２を設けてもよいし、各透明ガラス１０，１０が、それぞれの壁面Ｗの開口２を開閉し得る限りにおいて、前記壁面Ｗ，Ｗの交差部分を介して開口２同士を連結してもよい。
【図面の簡単な説明】
【００４８】
【図１】一実施形態の展示棚構造を示す斜視図
【図２】店舗内へ設置した状況を示す説明図
【図３】図１の側面図
【図４】図３の要部拡大図
【図５】図３の平面図で、（ａ）は全体図、（ｂ）はガイド１１付近の詳細図
【図６ａ】他の実施形態の斜視図
【図６ｂ】同上の駆動装置の要部拡大図
【図６ｃ】他の実施形態の斜視図
【図７】他の実施形態の斜視図
【図８】従来例の展示棚構造を示す側面図
【符号の説明】
【００４９】
１  展示棚
２  開口
３  商品
４  凹部
４ａ  載置部
５  天井部
６  側壁
７  窓枠
８  搬入出口
９  搬入スペース
１０  透明ガラス
１１  ガイド
１１ａ，１４ａ  溝部
１２  支持具
１２ａ  昇降部材
１２ｂ  支持部材
１３  パッキン
１４  枠材
１５  化粧板
１６  照明
２０  駆動装置
２１  モータ
２２  ねじ軸
２３  ロータ
２４  ベルト
２５  押圧装置
２５ａ  当接部
２５ｂ  支持部
２５ｃ  スプリング
２７  リミットスイッチ
２８  ストッパ
３０  安全装置
Ｓ  店舗
Ｗ  壁面
【図１】
2005137775.tif 000003
【図２】
2005137775.tif 000004
【図３】
2005137775.tif 000005
【図４】
2005137775.tif 000006
【図５】
2005137775.tif 000007
【図６ａ】
2005137775.tif 000008
【図６ｂ】
2005137775.tif 000009
【図６ｃ】
2005137775.tif 000010
【図７】
2005137775.tif 000011
【図８】
2005137775.tif 000012